(57)【要約】      （修正有）【課題】運搬を容易にするためのハンドル構造体を有するカートンの提供。【解決手段】物品のグループとその外周に配されるカートンからなるパッケージ。物品は上面、底面、対向側面、対向端面を備える。カートンはトップパネル、線に沿ってパネルに折り曲げ可能に接続されたサイドパネル、カートンを持ち上げるためのストラップハンドルを具備する。ハンドルはパネルから形成された主ストラップ部と、部分的にパネルとパネルから形成された端部を具備する。端部は線54,56に沿って主ストラップ部に折り曲げ可能に接続される。線54,56は両者間距離W3が線15,17間距離W2より小さいよう線15,17からオフセット配置される。パネル16は線15,17が物品のショルダーで規定される線と整列するよう物品の上面に配される。線間距離W1は線15,17間距離W2と等しい。【選択図】図１
2016204039.tif 000002
【特許請求の範囲】
【請求項１】
柔軟な物品のグループと、このグループの外面の少なくとも一部の周りに配置されるカートンと、を具備するパッケージであって、
前記物品のそれぞれは六つの面を備え、
前記カートンは、トップパネルと、一対の対向する上面折り曲げ線に沿ってそれぞれ前記トップパネルに対して折り曲げ可能に接続された一対のサイドパネルと、それを用いて前記カートンを持ち上げることが可能なストラップハンドルと、を具備し、
前記ストラップハンドルは、前記トップパネルから形成された主ストラップ部と、部分的に前記トップパネルからかつ部分的に前記サイドパネルから形成された一対の対向する端部と、を具備し、
前記端部は、一対の対向するストラップ折り曲げ線に沿って前記主ストラップ部に対してそれぞれ折り曲げ可能に接続されており、
前記ストラップ折り曲げ線は、前記ストラップ折り曲げ線間の距離が前記上面折り曲げ線間の距離よりも小さいように、それぞれ前記上面折り曲げ線からオフセットして配置されており、
前記トップパネルは、前記上面折り曲げ線が前記グループの前記物品のショルダーによって規定される対向する上面ショルダー線とそれぞれ概ね整列させられるように、かつ、前記上面ショルダー線間の距離は前記上面折り曲げ線間の距離と概ね等しいように、前記グループの前記物品の上面に配置される、パッケージ。
【請求項２】
各物品は略直角なショルダーを有し、かつ、前記上面ショルダー線は前記直角なショルダーによって規定される、請求項１に記載のパッケージ。
【請求項３】
前記サイドパネルは、各上面ショルダー線と前記カートンの底面との間の距離が各上面折り曲げ線と前記カートンの前記底面との間の距離と略等しいように、前記グループの前記物品の側面に沿って配置される、請求項１に記載のパッケージ。
【請求項４】
各ストラップ折り曲げ線と前記カートンの底面との間の距離は、各上面折り曲げ線と前記カートンの前記底面との間の距離よりも大きい、請求項１に記載のパッケージ。
【請求項５】
柔軟な物品のグループを含むパッケージを形成するためのブランクであって、
前記ブランクは、柔軟な物品の前記グループの外面の少なくとも一部の周りに配置されるよう構成され、
前記物品のそれぞれは六つの面を備え、
前記ブランクは、トップパネルと、一対の対向する上面折り曲げ線に沿ってそれぞれ前記トップパネルに対して折り曲げ可能に接続された一対のサイドパネルと、それを用いて前記パッケージを持ち上げることが可能なストラップハンドルと、を具備し、
前記ストラップハンドルは、前記トップパネルから形成された主ストラップ部と、部分的に前記トップパネルからかつ部分的に前記サイドパネルから形成された一対の対向する端部と、を具備し、
前記端部は、一対の対向するストラップ折り曲げ線に沿って前記主ストラップ部に対してそれぞれ折り曲げ可能に接続されており、
前記ストラップ折り曲げ線は、前記ストラップ折り曲げ線間の距離が前記上面折り曲げ線間の距離よりも小さいように、それぞれ前記上面折り曲げ線からオフセットして配置されており、
前記トップパネルは、前記上面折り曲げ線が前記グループの前記物品のショルダーによって規定される対向する上面ショルダー線とそれぞれ概ね整列させられるように、前記グループの前記物品の上面上に置かれるように配置され、かつ、前記上面ショルダー線間の距離は前記上面折り曲げ線間の距離と概ね等しい、ブランク。
【発明の詳細な説明】
【技術分野】
【０００１】
本発明は、カートンおよび携行器を形成するためのブランクに関し、さらに詳しくは、これに限定されるわけではないが、ブリックパッケージを包装するためのカートンであって、その運搬を容易にするためのハンドル構造体を有するカートンに関する。
【背景技術】
【０００２】
パッケージングの分野においては、多くの場合、複数の一次製品コンテナを備えたパッケージを消費者に提供する必要がある。そうしたマルチパックは、出荷および流通のために、そして販売促進情報の表示のために望ましいものである。コストおよび環境への配慮のために、そのようなカートンまたは携行器はできるだけ少ない材料から形成されることが、そして、それらが形成される材料には可能な限り僅かな無駄しか生じないことが要求される。もう一つの考慮事項は、大きな重量の物品を保持しかつ輸送するためのパッケージングの強度およびその適合性である。
【０００３】
TetraPak（商標）によって製造されたもののようなブリック形状パッケージを提供することが知られている。そうしたパッケージは、再利用可能なクロージャの形態であってもよいアクセス手段を含むことができる。そうしたクロージャはパッケージの表面から突出している。消費者が容易にパッケージを運ぶことができるように携行器にハンドル構造体を提供することが望ましい。そうしたハンドルは一次製品コンテナの荷重を支えるのに十分な強度を有していなければならない。折り曲げ可能な材料のシート、必要に応じてリサイクル可能な材料から、そうした携行器を形成することが望ましい。
【発明の概要】
【発明が解決しようとする課題】
【０００４】
本発明は従来技術の問題を克服するか、あるいは少なくとも軽減することを目的とする。
【課題を解決するための手段】
【０００５】
本発明の第１の態様によれば、柔軟な物品のグループと、このグループの外面の少なくとも一部の周りに配置されるカートンとを具備するパッケージが提供され、物品のそれぞれは六つの面を備える。カートンは、トップパネルと、一対の対向する上面折り曲げ線に沿ってそれぞれトップパネルに対して折り曲げ可能に接続された一対のサイドパネルと、それを用いてカートンを持ち上げることが可能なストラップハンドルとを具備する。ストラップハンドルは、トップパネルから形成された主ストラップ部と、部分的にトップパネルからかつ部分的にサイドパネルから形成された一対の対向する端部とを具備してもよい。端部は、一対の対向するストラップ折り曲げ線に沿って主ストラップ部に対してそれぞれ折り曲げ可能に接続されてもよい。ストラップ折り曲げ線は、ストラップ折り曲げ線間の距離が上面折り曲げ線間の距離よりも小さいように、それぞれ上面折り曲げ線からオフセットして配置されてもよい。トップパネルは、上面折り曲げ線がグループの物品のショルダーによって規定される対向する上面ショルダー線とそれぞれ概ね整列させられるように、グループの物品の上面に配置される。上面ショルダー線間の距離は上面折り曲げ線間の距離と概ね等しくてもよい。
【０００６】
各物品は略直角のショルダーを有し、かつ、上面ショルダー線はこの直角のショルダーによって規定されてもよい。
【０００７】
ある実施形態では、サイドパネルは、各上面ショルダー線とカートンの底面との間の距離が各上面折り曲げ線とカートンの底面との間の距離と略等しいように、グループの物品の側面に沿って配置される。
【０００８】
各ストラップ折り曲げ線とカートンの底面との間の距離は、各上面折り曲げ線とカートンの底面との間の距離よりも大きくてもよい。
【０００９】
本発明の第２の態様によれば、柔軟な物品のグループを含むパッケージを形成するためのブランクが提供され、当該ブランクは、柔軟な物品のグループの外面の少なくとも一部の周りに配置されるよう構成され、物品のそれぞれは六つの面を備え、ブランクは、トップパネルと、一対の対向する上面折り曲げ線に沿ってそれぞれトップパネルに対して折り曲げ可能に接続された一対のサイドパネルと、それを用いてパッケージを持ち上げることが可能なストラップハンドルとを具備し、ストラップハンドルは、トップパネルから形成された主ストラップ部と、部分的にトップパネルからかつ部分的にサイドパネルから形成された一対の対向する端部とを具備し、端部は、一対の対向するストラップ折り曲げ線に沿って主ストラップ部に対してそれぞれ折り曲げ可能に接続されており、ストラップ折り曲げ線は、ストラップ折り曲げ線間の距離が上面折り曲げ線間の距離よりも小さいように、それぞれ上面折り曲げ線からオフセットして配置されており、トップパネルは、上面折り曲げ線がグループの物品のショルダーによって規定される対向する上面ショルダー線とそれぞれ概ね整列させられるようにグループの物品の上面上に置かれるよう配置され、かつ、上面ショルダー線間の距離は上面折り曲げ線間の距離と概ね等しい。
【００１０】
本願の範囲内で、先の段落、特許請求の範囲および／または以下の説明ならびに図面に記載された、さまざまな態様、実施形態、実施例、特徴および代替例は、独立してあるいはその組み合わせとして採用され得ることが予見されかつ意図される。例えば、特徴の不適合性が存在しない限り、ある実施形態に関連して説明した特徴は全ての実施形態に適用可能である。
【００１１】
以下、本発明の例示的な実施形態について、添付図面を参照しながら説明する。
【図面の簡単な説明】
【００１２】
【図１】第１実施形態に係る携行器を形成するためのブランクの上から見た平面図である。
【図２】図１のブランクと共に使用するための例示的な物品の上から見た斜視図である。
【図３】物品のグループを形成するように配置された、図２の複数の物品の上から見た斜視図である。
【図４】パッケージを形成するように図３の物品のグループの周りに図１のブランクから形成されたカートンの上から見た斜視図である。
【図５】図４のパッケージの一部の上から見た斜視図である。
【発明を実施するための形態】
【００１３】
パッケージ、ブランクおよびカートンの具体的な実施形態の詳細な説明が本明細書に開示される。開示された実施形態は本発明の特定の態様を実施することができる手法の単なる実例であり、かつ、本発明を具現化することができる手法の全ての網羅的リストを表すものではないことは明らかである。本明細書で使用するように、「例示的」との語句は、実例、標本、モデルまたはパターンとして役立つ実施形態を指し示すために拡張的に使用される。実際、本明細書に記載されたパッケージ、ブランクおよびカートンは、さまざまな、そして代替的な形態で具現化できることは明らかである。図面は、必ずしも、正確な縮尺ではなく、ある特徴は特定の構成要素の詳細を示すために誇張または最小化されることがある。公知の構成要素、材料または方法は、本開示を不明瞭にすることを避けるために、必ずしも詳細には説明されない。本明細書に開示された特定の構造的および機能的詳細は、限定としてではなく、単に特許請求の範囲の基礎として、そして本発明をさまざまに利用するために当業者を教示するための代表的な基礎として解釈されるべきである。
【００１４】
図１を参照すると、これに限定されるわけではないが、以下では物品と呼ばれるブリックパッケージ等の一次製品（図２および図３参照）を保持するための、図４および図５に示すようなカートンまたは携行器９０（以下ではカートンと呼ばれる）を形成することができるブランク１０の平面図が示されている。
【００１５】
本明細書で説明する実施形態において、「カートン」および「携行器」との用語は、本発明のさまざまな特徴を説明する非限定的な目的のために、ブリックパッケージの形態の一次製品コンテナなどの物品と係合し、それを運搬し、かつ／またはそれを配分するためのコンテナを意味する。本発明の教示は、テーパー状かつ／または円筒状であってもよく、あるいはそうでなくてもよい、さまざまな一次製品コンテナに適用することができると考えられる。その他の例示的なコンテナとしては、ボトル（例えば金属、ガラスあるいはプラスチックボトル）、缶（例えばアルミニウム缶）、ブリキ缶、パウチ、パケットなどが挙げられる。
【００１６】
本明細書で説明するブランク１０は、適切な基材のシートから形成される。本明細書中で使用するように、「適切な基材」との用語は、板紙、段ボール紙、ボール紙、プラスチック、それらの組み合わせなどの折り曲げ可能なシート材料の全ての種類を含むことに留意されたい。適切な場合、例えば、以下でより詳しく説明する携行器構造体を提供するために、一つあるいはそれ以外の数のブランクが使用されてもよいことを理解されたい。
【００１７】
例示的な実施形態では、ブランク１０は、例示的な物品の例示的な配列を包装するためのカートンまたは携行器を形成するよう構成される。説明する実施形態においては、当該配列は２×２マトリックスまたはアレイであり、そして物品（図示せず）はブリックパッケージである。代替的に、ブランク１０は、それ以外の種類、個数およびサイズの物品を包装するための、かつ／または異なる配列または形態で物品を包装するための携行器を形成するように構成することができる。
【００１８】
図１を参照すると、ブランク１０は、カートン９０（図４参照）の壁を形成するための、直列に隣り合うもの同士が折り曲げ可能に接続された複数のメインパネル１２，１４，１６，１８，２０，２２を備える。ブランク１０は、折り曲げ線１３によって第１のサイドパネル１４に対して折り曲げ可能に接続された第１のベースパネル１２を備える。第１のサイドパネル１４は折り曲げ線１５によってトップパネル１６に対して折り曲げ可能に接続される。トップパネル１６は折り曲げ線１７によって第２のサイドパネル１８に対して折り曲げ可能に接続される。第２のサイドパネル１８は折り曲げ線１９によって第２のベースパネル２０に対して折り曲げ可能に接続される。第２のベースパネル２０は折り曲げ線２１によって固定フラップ２２に対して折り曲げ可能に接続される。
【００１９】
折り曲げ線１５および折り曲げ線１７はトップパネル１６の幅を規定する。折り曲げ線１５は折り曲げ線１７から距離Ｗ２だけ離れて配置される。
【００２０】
第２のサイドパネルは、折り曲げ線１７と折り曲げ線１９との間で規定される高さ寸法Ｈ２を有する。同様に、第１のサイドパネル１４は、折り曲げ線１５と折り曲げ線１３との間の高さ寸法を備える。説明する実施形態では、第１のサイドパネル１４の高さ寸法は、第２のサイドパネル１８の高さ寸法Ｈ２に等しい。
【００２１】
第１のベースパネル１２および第２のベースパネル２０は、組み立てられたカートン９０に複合ベース壁１２／２０を形成するために一つに固定可能であるように少なくとも部分的に重なり合うよう構成される。図１に示す実施形態において、第１および第２のベースパネル１２，２０は、第２のベースパネル２０に対して第１のベースパネル１２を固定するための相補的なロック機構を備えてもよい。この相補的なロック機構は、第１のベースパネル１２の端縁から延在する一対の雄型パンチタブＭを備える。相補的なロック機構はまた固定フラップ２２を備える。固定フラップ２２は折り曲げ線２１によって第２のベースパネル２０に対して折り曲げ可能に接続される。折り曲げ線２１は一対の切断線あるいは分断線Ｆによって中断される。中断線Ｆの対のそれぞれは、固定フラップ２２が第２のベースパネル２０に対して折り曲げ線２１を中心として折り曲げられたとき、第２のベースパネル２０に開口またはスロットを形成する。雄型タブＭの対のそれぞれは、第１および第２のベースパネル１２，２０を一つにロックするように、分断線Ｆの対のそれぞれのものによって形成された開口内に収容される。代替実施形態では、第１および第２のベースパネルは、接着剤またはその他の接着処理またはその他の機械的ファスナーによって一つに固定されてもよい。代替実施形態では、ブランクは、第１および第２のサイドパネル間に延在するよう構成された単一のベースパネルを備えていてもよい。第１および第２のサイドパネル間でベースパネルを固定するようにベースパネルまたは第１および第２のサイドパネルの一方に対して折り曲げ可能に接続された固定パネルが設けられてもよい。
【００２２】
複数のメインパネル１２，１４，１６，１８，２０，２２は、組み立てられたカートン９０における開放型筒状構造体を形成する。ブランク１０は、複数のメインパネル１２，１４，１６，１８，２０，２２によって形成された筒状構造体の開放端を少なくとも部分的に閉鎖するための端部閉鎖構造体Ｓ１，Ｓ２を備える。
【００２３】
カートン９０の第１の端部は、第１の端部閉鎖構造体Ｓ１によって、少なくとも部分的に閉鎖される。カートン９０の第２の端部は、第２の端部閉鎖構造体Ｓ２によって、少なくとも部分的に閉鎖される。
【００２４】
第１の端部閉鎖構造体Ｓ１は、折り曲げ線２３ａの形態の折り曲げ可能な接続によって、その第１の端縁に沿ってトップパネル１６に対して折り曲げ可能に接続された第１の端部閉鎖パネル２４ａを備える。
【００２５】
第１のガセットパネル２６ａが、第１の端部閉鎖パネル２４ａに対して、その第１の側縁に沿って、折り曲げ線２５ａによって折り曲げ可能に接続される。第１のウェブパネル２８ａが、第１のガセットパネル２６ａに対して、折り曲げ線２７ａによって折り曲げ可能に接続される。第１のアンカーパネル３０ａが、第１のウェブパネル２８ａに対して、折り曲げ線２９ａによって折り曲げ可能に接続される。第１のアンカーパネル３０ａが、第１のサイドパネル１４に対して、折り曲げ線３１ａによって折り曲げ可能に接続される。
【００２６】
第２のガセットパネル３２ａが、第１の端部閉鎖パネル２４ａに対して、その第２の側縁に沿って、折り曲げ線３３ａによって折り曲げ可能に接続される。第２のウェブパネル３４ａが、第２のガセットパネル３２ａに対して、折り曲げ線３５ａによって折り曲げ可能に接続される。第２のアンカーパネル３６ａが、第２のウェブパネル３４ａに対して、折り曲げ線３７ａによって折り曲げ可能に接続される。第２のアンカーパネル３６ａが、第２のサイドパネル１８に対して、折り曲げ線３９ａによって折り曲げ可能に接続される。
【００２７】
第２の端部閉鎖構造体Ｓ２は、折り曲げ線２３ｂの形態の折り曲げ可能な接続によって、その第２の端縁に沿ってトップパネル１６に対して折り曲げ可能に接続された第２の端部閉鎖パネル２４ｂを備える。
【００２８】
第３のガセットパネル３２ｂが、第２の端部閉鎖パネル２４ｂに対して、その第１の側縁に沿って、折り曲げ線２５ｂによって折り曲げ可能に接続される。第３のウェブパネル２８ｂが、第３のガセットパネル２６ｂに対して、折り曲げ線２７ｂによって折り曲げ可能に接続される。第３のアンカーパネル３０ｂが、第３のウェブパネル２８ｂに対して、折り曲げ線２９ｂによって折り曲げ可能に接続される。第３のアンカーパネル３０ｂが、第１のサイドパネル１４に対して、折り曲げ線３１ｂによって折り曲げ可能に接続される。
【００２９】
第４のガセットパネル３２ｂが、第２の端部閉鎖パネル２４ｂによって、その第２の側縁に沿って、折り曲げ線３３ｂによって折り曲げ可能に接続される。第４のウェブパネル３４ｂが、第４のガセットパネル３２ｂに対して、折り曲げ線３５ｂによって折り曲げ可能に接続される。第４のアンカーパネル３６ｂが、第４のウェブパネル３４ｂに対して、折り曲げ線３７ｂによって折り曲げ可能に接続される。第４のアンカーパネル３６ｂが、第２のサイドパネル１８に対して、折り曲げ線３９ｂによって折り曲げ可能に接続される。
【００３０】
トップパネル１６は、物品１００のグループのクロージャ１０４のそれぞれのものをそれぞれ受け入れるための複数の開口Ａを備える。各開口は、それぞれ折り曲げ線２３ａ，２３ｂによって画定されるトップパネル１６の第１または第２の端縁の一つの近くに配置されてもよい。各開口は、第１または第２の端部閉鎖パネル２４ａ，２４ｂのそれぞれのものの中に少なくとも部分的に延在するように、それぞれ折り曲げ線２３ａ，２３ｂによって画定されるトップパネル１６の第１または第２の端縁のそれぞれのものを中断してもよい。
【００３１】
第１のサイドパネル１４は、第１の分断線４５および第２の分断線４７によって画定される第１の引き裂きストリップ４２を備えてもよい。第１および第２の分断線４５，４７は第１のサイドパネル１４を部分的に横切って延在するが、代替実施形態では、第１および第２の分断線４５，４７は第１のサイドパネル１４を完全に横切って延在してもよい。
【００３２】
第２のサイドパネル１８は、第３の分断線４１および第４の分断線４３によって画定される第２の引き裂きストリップ４０を備えてもよい。第３および第４の分断線４１，４３は第２のサイドパネル１８を部分的に横切って延在するが、代替実施形態では、第３および第４の分断線４１，４３は第２のサイドパネル１８を完全に横切って延在してもよい。
【００３３】
ブランク１０はハンドル構造体Ｈを備える。ハンドル構造体Ｈはハンドルストラップ５０を備える。ハンドルストラップ５０は、トップパネル１６から、そして部分的に第１および第２のサイドパネル１４，１８のそれぞれから切り出される。ハンドルストラップ５０は、トップパネル１６を横切って、第１および第２のサイドパネル１４，１８内へと延在する。ハンドルストラップ５０は、少なくとも部分的に、第１の分断線５５ａおよび第２の分断線５５ｂによって画定される。第１の分断線５５ａは、第１および第２のサイドパネル１４，１８のそれぞれにおいて、「Ｊ」または「Ｃ」字形の切断線で終端する。第２の分断線５５ｂは、第１および第２のサイドパネル１４，１８のぞれぞれにおいて、「Ｊ」または「Ｃ」字形の切断線で終端する。
【００３４】
第１の緩衝フラップ５２ａが、折り曲げ線５１ａによってハンドルストラップ５０の第１の側に折り曲げ可能に接続されてもよい。折り曲げ線５１ａは、第１の分断線５５ａを中断する。第１の緩衝フラップ５２ａは、トップパネル１６に設けられた切断線５３ａによって、少なくとも部分的に画定される。
【００３５】
第２の緩衝フラップ５２ｂが、折り曲げ線５１ｂによってハンドルストラップ５０の第２の側に折り曲げ可能に接続されてもよい。折り曲げ線５１ｂは、第１の分断線５５ｂを中断する。第２の緩衝フラップ５２ｂは、トップパネル１６に設けられた切断線５３ｂによって、少なくとも部分的に画定される。
【００３６】
ハンドルストラップ５０は、第１の折り曲げ線５４および第２折り曲げ線を備える。第１の折り曲げ線５４は。第１のサイドパネル１４とトップパネル１６との間の折り曲げ線１５に近接している。第１の折り曲げ線５４は、折り曲げ線１５に対して距離Ｊだけオフセットしている。第１の折り曲げ線５４は、折り曲げ線１５に対してトップパネル１６内に寄せられる。第１の折り曲げ線５４は、折り曲げ線１５に隣接する開口Ａよりも折り曲げ線１５に対して、より接近するように配置される。
【００３７】
第２の折り曲げ線５６は、第２のサイドパネル１８とトップパネル１６との間の折り曲げ線１７に近接している。第２の折り曲げ線５６は、折り曲げ線１７に対して距離Ｉだけオフセットしている。第２の折り曲げ線５６は、折り曲げ線１７に対してトップパネル１６内に寄せられる。第２の折り曲げ線５６は、折り曲げ線１７に隣接する開口Ａよりも折り曲げ線１７に対して、より接近するように配置される。
【００３８】
第１の折り曲げ線５４は第２の折り曲げ線５６から距離Ｗ３だけ離れて配置される。距離Ｗ３は、折り曲げ線１５，１７間の距離Ｗ２よりも小さい。
【００３９】
第２の折り曲げ線５６は、少なくとも部分的にカートンの底面を画定する折り曲げ線１９から距離Ｈ３だけ離れて配置される。同様に、第１の折り曲げ線５４は、折り曲げ線１３から距離Ｈ３に等しい距離だけ離れて配置される。
【００４０】
図２は、図１のブランクと共に使用するための例示的な物品１００を示している。物品１００はブリック形状パッケージ、直方体または正方形である。
【００４１】
物品１００は六つの面、すなわち上面、底面、一対の対向する側面および一対の対向する端面を備える。
【００４２】
物品１００は、それに対してクロージャ１０４を有する任意のディスペンサー１０３が結合されるトップパネル１０２を備える。クロージャ１０４はトップパネル１０２から外側に突出する。クロージャ１０４はトップパネル１０２の側縁に近接してトップパネル１０２上に配置される。ディスペンサー１０３は、物品１００の側壁１１０の一部の周りで延在してもよい。
【００４３】
物品１００は一対のウイング部１０６を備える。通常の使用においては、ウイング部１０６は、折り曲げ線１０５を中心として折り曲げられ、そしてそれぞれの端壁１０８に対して固定される。物品１００は、紙層と、ポリエチレンのようなプラスチック材料の層との間に挟み込まれた金属箔層を含むラミネートシート材料から形成することができる。シート材料は追加の層を含んでいてもよい。
【００４４】
図３は、図１のブランクによって包装されるための、グループ状に配置された複数の物品１００を示している。複数の物品１００は、二つの物品の第１の行Ｒ１、二つの物品の第２の行Ｒ２，二つの物品の第１の列Ｃ１および二つの物品の第２の列Ｃ２を有する、２×２マトリックスあるいはアレイ状に配置される。
【００４５】
各物品１００の折り曲げ線１０５は、物品１００のグループの（ショルダー線ＳＬ１によって示されるような）縁部または輪郭の形態の第１のショルダーと、物品１００のグループの（ショルダー線ＳＬ２によって示されるような）縁部または輪郭の形態の第２のショルダーとを画定する。ショルダー線ＳＬ１はショルダー線ＳＬ２から距離Ｗ１を置いて配置される。上面ショルダー線ＳＬ１，ＳＬ２間の距離Ｗ１は、概して、折り曲げ線１５，１７間の距離Ｗ２と等しい。各物品１００は少なくとも一つの略直角のショルダー部を有し、かつ、上面ショルダー線ＳＬ１，ＳＬ２は、物品１００の直角のショルダーによって規定される。
【００４６】
物品１００はそれぞれ、この物品１００の底面と、ショルダー線ＳＬ１，ＳＬ２のそれぞれのものとの間に規定される高さ寸法Ｈ１を有する。
【００４７】
第１の列Ｃ１における物品１００のクロージャ１０４は、物品１００のグループの第１の側に置かれるように配置されてもよい。第２の列Ｃ２における物品１００のクロージャ１０４は、物品１００のグループの第２の対向する側に置かれるように配置される。このようにして、第１の列Ｃ１内の物品１００のクロージャ１０４は、第２の列Ｃ２内の物品１００のクロージャ１０４から、最大限可能な距離だけ離れて配置される。これは、第１の列Ｃ１の各クロージャ１０４と、第２の列Ｃ２の隣接する物品１００のそれぞれのクロージャ１０４との間のギャップまたは空隙Ｇの大きさを最大化する効果を有する。
【００４８】
携行器９０へのブランク１０の組み立てに関して、図４および図５に示すように、携行器９０は、当該携行器９０をその組み立てを完了するために回転させたり、あるいは反転させたりする必要がないように、直線機械内での一連の順次折り曲げ処理によって形成することができる。折り曲げプロセスは以下で説明するものには限定されず、特定の製造要件に従って変更することができる。
【００４９】
ブランク１０は、最初にブランク１０のトップパネル１６を物品１００のグループの上で垂直整列状態とすることによって、図３に示す物品１００のグループの周囲で組み立てる。各開口Ａは、物品１００のグループの物品１００のそれぞれのもののクロージャ１０４を受け入れる。第１および第２の端部閉鎖パネル２４ａ，２４ｂを、物品１００のグループの上側端部の周囲でトップパネル１６に対して折り曲げる。第１および第２の端部閉鎖パネル２４ａ，２４ｂを、折り曲げる際に直接係合させてもよい。
【００５０】
代替的に、第１および第２の端部閉鎖パネル２４ａ，２４ｂは、それぞれ折り曲げ線３１ａ，３９ａ，３１ｂ，３９ｂを中心とした第１、第２、第３および第４のアンカーパネル３０ａ，３６ａ，３０ｂ，３６ｂの折り曲げに応じて折り曲げてもよい。第１および第３のアンカーパネル３０ａ，３０ｂは、第１のサイドパネル１４と重なり合う関係となるように折り曲げる。ある実施形態では、第１および第３のアンカーパネル３０ａ，３０ｂを第１のサイドパネル１４と面接触関係となるように折り曲げ、そして接着剤または機械的ファスナーによって、それに対して固定してもよい。第２および第４のアンカーパネル３６ａ，３６ｂは、第２のサイドパネル１８と重なり合う関係となるように折り曲げる。ある実施形態では、第２および第４のアンカーパネル３６ａ，３６ｂを第２のサイドパネル１８と面接触関係となるように折り曲げ、そして接着剤または機械的ファスナーによって、それに対して固定してもよい。（第１および第２のガセットパネル２６ａ，３２ａのそれぞれのもの、ならびに第１および第２のウェブパネル２８ａ，３４ａのそれぞれのものによる）第１および第２のアンカーパネル３０ａ，３６ａと、第１の端部閉鎖パネル２４ａとの間の結合は、第１および第２のアンカーパネル３０ａ，３６ａの折り曲げの結果として、第１の端部閉鎖パネル２４ａの自動折り曲げを促進する。（第３および第４のガセットパネル２６ｂ，３２ｂのそれぞれのもの、ならびに第３および第４のウェブパネル２８ｂ，３４ｂのそれぞれのものによる）第３および第４のアンカーパネル３０ｂ，３６ｂと、第２の端部閉鎖パネル２４ｂとの間の結合は、第３および第４のアンカーパネル３０ｂ，３６ｂの折り曲げの結果として、第２の端部閉鎖パネル２４ｂの自動折り曲げを促進する。
【００５１】
第１のサイドパネル１４および第１のベースパネル１２は、折り曲げ線１５を中心としてトップパネル１６に対して折り曲げる。
【００５２】
第２のサイドパネル１８、第２のベースパネル２０および固定フラップ２２は、折り曲げ線１７を中心としてトップパネル１６に対して折り曲げる。
【００５３】
第１のベースパネル１２は、折り曲げ線１３を中心として第１のサイドパネル１４に対して折り曲げる。第２のベースパネル２０は、折り曲げ線１９を中心として第２のサイドパネル１８に対して折り曲げる。固定フラップ２２は、折り曲げ線２１を中心として第２のベースパネル２０に対して折り曲げる。
【００５４】
第１のサイドパネル１４は、物品１００のグループの第１の側面と近接させる。第２のサイドパネル１８は、物品１００のグループの第２の側面と近接させる。
【００５５】
固定フラップ２２を第２のベースパネル２０に対して折り曲げる際、雄型パンチタブＭを分断線Ｆによって形成されるスロットに挿入する。このようにして第１のベースパネル１２を第２のベースパネル２０に対して固定する。
【００５６】
ハンドルストラップ５０は、第１および第２の側壁１４，１８がトップパネル１６に対して折り曲げられたとき、トップパネル１６から自動的に盛り上がるように構成される。
【００５７】
折り曲げ線１５に対する折り曲げ線５４のオフセット配置、および折り曲げ線１７に対する折り曲げ線５６のオフセット配置は、ハンドルストラップ５０がトップパネル１６から盛り上がるように起立するのを容易にする。第１および第２の端部パネル１４，１８によって部分に、かつ、トップパネル１６によって部分的に設けられたハンドルストラップ５０の端部５７，５９は、それぞれの第１または第２のサイドパネル１４，１８の隣接部分の内側に変位させられる。これは、物品１００が、変形し、これによってハンドルストラップ５０の端部の内側への変位を可能とするのに十分なほど柔軟であることによって促進できる。
【００５８】
ここで図４および図５を参照すると、物品１００のグループと。このグループの外面の少なくとも一部の周りに配置されたカートンＣとの組み合わせから形成されたパッケージ９０が示されている。物品１００のそれぞれは、六つの面、上面、底面、対向する側面および対向する端面を備える。カートンＣは、トップパネル１６と、一対の対向する上面折り曲げ線１５，１７に沿ってそれぞれトップパネル１６に対して折り曲げ可能に接続された一対のサイドパネル１４，１８と、それを用いてカートンＣを持ち上げることが可能なストラップハンドル５０とを備える。ストラップハンドル５０は、（折り曲げ線５４，５６間に画定される）主ストラップ部を備える。この主ストラップ部はトップパネル１６から形成され、かつ、一対の対向する端部５７，５９は、部分的にトップパネル１６からかつ部分的にサイドパネル１４，１８から形成される。端部５７，５９は、一対の対向するストラップ折り曲げ線５４，５６に沿って、主ストラップ部に対してそれぞれ折り曲げ可能に接続される。ストラップ折り曲げ線５４，５６は、ストラップ折り曲げ線５４，５６間の距離Ｗ３が上面折り曲げ線１５，１７間の距離Ｗ２よりも小さいように、それぞれ上面折り曲げ線１５，１７からオフセットして配置される。トップパネル１６は、上面折り曲げ線１５，１７がグループの物品１００のショルダーによって規定される対向する上面ショルダー線ＳＬ１，ＳＬ２とそれぞれ概ね整列させられるようにグループの物品１００の上面に配置される。上面ショルダー線ＳＬ１，ＳＬ２間の距離Ｗ１は上面折り曲げ線１５，１７間の距離Ｗ２と概ね等しい。
【００５９】
ハンドルストラップ５０の主ストラップ部は、方向矢印Ｄ１で示すように上方に変位させられていることが分かる。ハンドルストラップ５０の端部５７，５９は、方向矢印Ｄ２で示すように下方に変位させられている。
【００６０】
主ストラップ部はトップパネル１６の少なくとも６０％を横切って延びており、ある実施形態では、主ストラップ部はトップパネル１６の少なくとも８０％を横切って延びており、そして、ある実施形態では、トップパネル１６の８５％以上を横切って延びていてもよい。
【００６１】
使用の際には、グループの物品１００の上端と干渉することなく、図５に示すように、緩衝フラップ５２ａ，５２ｂをカートンＣの内側に折り曲げることができるように、ハンドルストラップ５０を上方に十分に変位させる。
【００６２】
ある実施形態では、ハンドルストラップ５０の主ストラップ部は、クロージャ１０４の高さよりも小さな距離だけ、トップパネル１６の上方へと変位させられる。
【００６３】
図５に示すように、静止時または無負荷時（すなわちハンドルストラップが使用されていない）、クロージャ１０４の上端部がトップパネル上のハンドルストラップ５０の主ストラップ部の高さよりも大きなトップパネル上の高さで配置されるように、クロージャ１０４の上端部はトップパネル１６を経て突出してもよい。
【００６４】
物品１００はそれぞれ、概ね直角なショルダーを有し、そして上面ショルダー線ＳＬ１，ＳＬ２は直角なショルダーによって規定される。
【００６５】
第１および第２のサイドパネル１４，１８は、各上面ショルダー線ＳＬ１，ＳＬ２とカートンＣの底面との間の距離Ｈ１が各上面折り曲げ線１５，１７とカートンＣの底面との間の距離Ｈ２と略等しく、カートンＣの底面が折り曲げ線１３，１９によって少なくとも部分的に画定されるように、物品１００のグループの物品１００の側面と並んで配置される。
【００６６】
各ストラップ折り曲げ線５４，５６とカートンＣの底面との間の距離Ｈ３は、各上面折り曲げ線１５，１７とカートンＣの底面との間の距離Ｈ２よりも大きい。
【００６７】
物品１００のクロージャ１０４はカートンＣのトップパネル１６の上に突出している。ハンドルストラップ５０は、第１の列Ｃ１のクロージャ１０４と第２の列Ｃ２のクロージャとの間の空隙あるいはギャップＧ内に配置される。
【００６８】
さまざまな変更を本発明の範囲内でなし得ることは明らかである。例えば、パネルおよび開口の寸法および形状は、異なるサイズまたは形状の物品を収容するために調節することができる。
【００６９】
本明細書で使用するように、「上面」、「底面」、「前方」、「後方」、「端部」、「側面」、「内側」、「外側」、「上側」および「下側」といった方向についての用語は、必ずしも、各パネルをそうした配向に限定するものではなく、こうしたパネルを互いに区別する役割を果たすに過ぎない。
【００７０】
本明細書で使用するように、「折り曲げ可能な接続」および「折り曲げ線」との用語は、ブランクのヒンジの機能を形成し、互いに対してブランクの一部を折り曲げるのを容易にし、あるいはさもなければブランクのための最適なパネル折り曲げ位置を示す線の全ての種類を意味する。折り曲げ線は、通常、ミシン目線、エンボス加工線またはデボス加工線である。「折り曲げ可能な接続」または「折り曲げ線」への言及は、単一の折り曲げ線のみへの不可避的言及として解釈すべきでない。実際、折り曲げ可能な接続は、本発明の範囲からの逸脱することなく、短いスリット、脆弱線または折り曲げ線の一つ以上から形成できることが予見される。
【００７１】
本明細書で使用するように、「分断線」との用語は、基材の部分を互いに分離させるのを促進するか、あるいは最適な分離位置を示す線の全ての種類を意味する。分断線は、脆弱なあるいは別の弱化線、引き裂き線、切れ目またはスリットであってもよい。
【００７２】
折り曲げ可能な接続、分断線および折り曲げ線はそれぞれ、穿孔、穿孔の線、短いスリットの線、ハーフカット線、単一のハーフカット、切れ目、中断された切れ目、スリット、刻み目、その組み合わせなどを含む、ブランクの基材に形成された要素を含むことができることは明らかである。これらの要素は、所望の機能を提供するような寸法および配置とすることができる。例えば穿孔の線は、折り曲げ線および／または分断線を形成するための弱さの程度を伴う寸法とすることが、あるいは設計することができる。穿孔の線は、折り曲げを促進すると共に破壊に抵抗するように、折り曲げを促進すると共により多くの労力での破壊を促進するように、あるいは僅かな労力での破壊を促進するように設計できる。
【００７３】
「整列状態で」との用語は、本明細書で使用するように、二つの重なり合うパネルの第１のものに形成された開口および二つの重なり合うパネルの第２のものに形成された第２の開口といった、組み立てられたカートンにおける二つ以上の要素の位置合わせを意味する。互いに整列するこれらの要素は、重なり合うパネルの厚さの方向に互いに位置合わせすることができる。例えば、第１のパネルの開口が、第１のパネルと重なり合う配置状態に置かれた第２のパネルの第２の開口と「整列状態」である場合、開口の縁部は第２の開口の縁部の少なくとも一部に沿って延在してもよく、そして、第１および第２のパネルの厚さ方向に第２の開口と位置合わせされてもよい。
【００７４】
本明細書で使用するように、「破断」との用語は、円形、長方形、カプセル形状、不規則な形状および予め形成されるかあるいは予め規定される数多くのその他の形状であってもよい、造形、リセス、開口、切れ目、スロット、孔およびギャップの全ての種類を意味する。
【符号の説明】
【００７５】
１０  ブランク
１２  第１のベースパネル（メインパネル）
１３  折り曲げ線
１４  第１のサイドパネル（メインパネル）
１５  折り曲げ線
１６  トップパネル（メインパネル）
１７  折り曲げ線
１８  第２のサイドパネル（メインパネル）
１９  折り曲げ線
２０  第２のベースパネル（メインパネル）
２１  折り曲げ線
２２  固定フラップ（メインパネル）
２３ａ，２３ｂ  折り曲げ線
２４ａ  第１の端部閉鎖パネル
２４ｂ  第２の端部閉鎖パネル
２５ａ，２５ｂ  折り曲げ線
２６ａ  第１のガセットパネル
２６ｂ  第３のガセットパネル
２７ａ，２７ｂ  折り曲げ線
２８ａ  第１のウェブパネル
２８ｂ  第３のウェブパネル
２９ａ，２９ｂ  折り曲げ線
３０ａ  第１のアンカーパネル
３０ｂ  第３のアンカーパネル
３１ａ，３１ｂ  折り曲げ線
３２ａ  第２のガセットパネル
３２ｂ  第４のガセットパネル
３３ａ，３３ｂ  折り曲げ線
３４ａ  第２のウェブパネル
３４ｂ  第４のウェブパネル
３５ａ，３５ｂ  折り曲げ線
３６ａ  第２のアンカーパネル
３６ｂ  第４のアンカーパネル
３７ａ，３７ｂ  折り曲げ線
３９ａ，３９ｂ  折り曲げ線
４０  ストリップ
４１  第３の分断線
４２  ストリップ
４３  第４の分断線
４５  第１の分断線
４７  第２の分断線
５０  ハンドルストラップ
５１ａ，５１ｂ  折り曲げ線
５２ａ  第１の緩衝フラップ
５２ｂ  第２の緩衝フラップ
５３ａ，５３ｂ  切断線
５４  折り曲げ線
５５ａ  第１の分断線
５５ｂ  第２の分断線
５６  折り曲げ線
５７，５９  端部
９０  携行器（カートン）
１００  物品
１０２  トップパネル
１０３  ディスペンサー
１０４  クロージャ
１０５  折り曲げ線
１０６  ウイング部
１０８  端壁
１１０  側壁
【図１】
2016204039.tif 000003
【図２】
2016204039.tif 000004
【図３】
2016204039.tif 000005
【図４】
2016204039.tif 000006
【図５】
2016204039.tif 000007
【外国語明細書】
2016204039000001.pdf